(57)【要約】【課題】装飾体を本体部に付け替え可能とした装飾具において、装飾体を本体部へ強固に固定する。【解決手段】装飾具１は、複数の装飾体のうちのいずれかの装飾体２が前記本体部３に付け替え可能に取り付けられている。前記本体部３は、装飾体２の取付位置に平坦な支持面３１を有し、前記支持面３１上に装飾体２をその下面を面接触させて固定手段４により固定する。前記固定手段４は、装飾体２を支持面３１上に上方から押さえ付ける支持フレーム４１と、本体部３にねじ込まれて装飾体２を支持フレーム４１を介して固定するためのネジ４０と、前記ネジ４０の締付力を受けて支持面３１に対して垂直方向へ圧縮変形する弾性体４５とを含み、前記弾性体４５はその復元力が装飾体２に作用するようにネジ止め部分に保持されている。【選択図】図１
2007222385.tif 000002
【特許請求の範囲】
【請求項１】
複数の装飾体と本体部とから成り、複数の装飾体のうちのいずれかの装飾体が前記本体部に付け替え可能に取り付けられて成る装飾具において、
前記本体部は、装飾体の取付位置に平坦な支持面を有し、前記支持面上に装飾体または装飾体の取付ベースをその下面を面接触させて固定手段により固定しており、前記固定手段は、本体部にねじ込まれて装飾体を固定するためのネジと、前記ネジの締付力を受けて支持面に対して垂直方向へ圧縮変形する弾性体とを含み、前記弾性体はその復元力が装飾体または取付ベースに作用するようにネジ止め部分に保持されて成る装飾具。
【請求項２】
前記固定手段は、前記装飾体を支持面上に上方から押さえ付ける支持フレームを含んでおり、前記支持フレームは、装飾体を臨ませる開口部を有し、前記開口部の内周縁沿いにリング形状の弾性体が保持されている請求項１に記載された装飾具。
【請求項３】
前記固定手段は、装飾体の取付ベースの下面に周設された溝を有し、前記溝内にリング形状の弾性体が半ば突出した状態で保持されている請求項１に記載された装飾具。
【請求項４】
前記本体部は、指輪のリングである請求項１に記載された装飾具。
【発明の詳細な説明】
【技術分野】
【０００１】
この発明は、宝石などの装飾体を備えた指輪やネックレスなどの装飾具に関し、特にこの発明は、装飾体を付け替えることのできる装飾具に関する。
【背景技術】
【０００２】
一般に指輪やネックレスは、固有の意匠が施された装飾体と、この装飾体を保持するための本体部とで構成されている。従来、この種の装飾具は、装飾体の意匠が固定されており、異なる意匠のものを装着したければ、新たに装飾具を購入する以外になく、不経済となる。そこで、単品で装飾体の意匠を変化させることのできる装飾具として、装飾体の下面にネジ部を、本体部にネジ孔を設け、ネジ部をネジ孔へねじ込むことにより装飾体を付け替え可能に取り付けられたものや、装飾体を保持する飾台にネジ受入孔を、本体部にネジ孔を設け、ネジをネジ受入孔へ挿入しネジ孔へねじ込むことで装飾体を本体部に付け替え可能に取り付けられたものが提案されている（例えば特許文献１参照）。
【０００３】
【特許文献１】特開平９−２２４７２４号公報
【発明の開示】
【発明が解決しようとする課題】
【０００４】
しかしながら、上記した構成の装飾具において、着用時に衝撃や振動が加わったりすると、ネジの締め付けが緩んでくるため、装飾体ががたついたり、脱落したりするおそれがある。
【０００５】
この発明は、上記問題に着目してなされたもので、装飾体を本体部に付け替え可能とした装飾具において、装飾体を本体部へ強固に固定することのできる装飾具を提供することを目的とする。
【課題を解決するための手段】
【０００６】
この発明による装飾具は、複数の装飾体と本体部とから成り、複数の装飾体のうちのいずれかの装飾体が前記本体部に付け替え可能に取り付けられている。前記本体部は、装飾体の取付位置に平坦な支持面を有し、前記支持面上に装飾体または装飾体の取付ベースをその下面を面接触させて固定手段により固定している。前記固定手段は、本体部にねじ込まれて装飾体を固定するためのネジと、前記ネジの締付力を受けて支持面に対して垂直方向へ圧縮変形する弾性体とを含み、前記弾性体はその復元力が装飾体または取付ベースに作用するようにネジ止め部分に保持されている。
【０００７】
この発明の上記した構成において、「弾性体」は弾力性を有する材料から成るものであり、例えば、ゴムなどを用いることができる。
【０００８】
この発明による装飾具は、複数の装飾体のうち、いずれかの装飾体を選択して前記本体部に取り付けられるとともに、随時、取り外して他のものに付け替えることができるものである。この場合、装飾体または取付ベースは前記本体部の平坦な支持面上に安定して支持され、ネジを用いた固定手段により本体部に固定されるため、簡単にその付け替えを行うことができる。また、弾性体がネジ止め部分に保持されているため、ネジの締め付けにより弾性体が圧縮変形し、その復元力が装飾体または装飾体の取付ベースに作用する。これにより、装飾体のがたつきや脱落が防止される。
【０００９】
この発明の好ましい一実施態様においては、前記固定手段は、前記装飾体を支持面上に上方から押さえ付ける支持フレームを含んでおり、前記支持フレームは、装飾体を臨ませる開口部を有し、前記開口部の内周縁沿いにリング形状の弾性体が保持されている。
【００１０】
この実施態様によれば、支持フレームが本体部の支持面上に支持された装飾体を上方から押さえ付けるため、装飾体は支持フレームにはまった状態で支持面上に固定される。また、支持フレームの開口部の内周縁沿いに保持された弾性体が、ネジの締付力を受けることにより圧縮変形し、その復元力が装飾体に作用するので、装飾体が本体部に強固に固定され、支持フレーム内で変位したりがたついたりするのが阻止される。
【００１１】
この発明の好ましい他の実施態様においては、前記固定手段は、装飾体の取付ベースの下面に周設された溝を有し、前記溝内にリング形状の弾性体が半ば突出した状態で保持されている。
【００１２】
この実施態様によれば、弾性体は装飾体の取付ベースの下面に周設された溝内でネジの締付力を受けて圧縮変形し、装飾体の取付ベースにその復元力が作用する。これにより、ネジの緩み方向に対する摩擦力が大きくなり、前記弾性体が滑り止めとなることから、ネジが緩むのを抑えることができ、装飾体が本体部に強固に固定される。また、弾性体を前記溝内に保持することで、弾性体が抜け落ちるのを防止できるとともに、圧縮変形により全体が溝内におさまり、取付ベースが支持面に面接触して安定支持される。
【００１３】
上記した構成の装飾具において、前記本体部は、指輪のリングである他、装飾体が取り付けられるものであれば特に制限はなく、ネックレス、ブレスレット、カフなど、種々の装飾具に用いることができる。
【発明の効果】
【００１４】
この発明によれば、本体部に対して装飾体を付け替えるようにしたから、意匠を変化させることができるとともに、経済的である。また、ネジの締め付けによる弾性体の圧縮変形により生じる復元力が、装飾体または装飾体の取付ベースに作用するため、装飾体が本体部に強固に固定され、がたついたり脱落したりするのが防止される。さらに、ネジを用いた固定手段により装飾体の付け替えを可能としていることから、装飾体の付け替え作業を容易に行うことができる。
【発明を実施するための最良の形態】
【００１５】
図１および図２は、この発明の一実施例である指輪１の構成を示している。図示例の指輪１は、装飾体２と、この装飾体２を支持する本体部３と、装飾体２を本体部３に固定する固定手段４とから成る。
【００１６】
前記装飾体２は、複数の装飾体２のうちのひとつであり、そのいずれかの装飾体２が前記本体部３に取り付けられるとともに、随時、取り外して他のものに付け替えることが可能である。各装飾体２は、錐形状の装飾部２０と直方体形状の基台部２１とから成り、石材，金属材など、任意の材料により製作することができる。この実施例における各装飾体２は、同一材料で形成されており、異なる意匠となるよう、それぞれの色彩を違えてある。なお、これに限らず、材料も色彩も違えて異なる意匠となるよう構成してもよい。
【００１７】
前記本体部３は、指の太さに相応する指差孔３０を有する環状体により構成されており、本体部３の装飾体２の取付位置には、装飾体２を支持するための平坦な支持面３１が形成されている。
【００１８】
前記支持面３１は、外形が長方形状であり、その四隅の所定位置には後述するネジ４０をねじ込むためのネジ孔３２が形成されている。この支持面３１上に装飾体２をその基台部２１の下面を面接触させて定置させ、固定手段４により装飾体２を本体部３に固定する。
【００１９】
前記固定手段４は、本体部３にねじ込まれて装飾体２を固定するためのネジ４０と、装飾体２を支持面３１上に上方から押さえ付ける支持フレーム４１と、装飾体２と支持フレーム４１との間のネジ止め部分に保持される弾性体４５とを含んでいる。
この固定手段４は、装飾体２を本体部３の支持面３１上に定置させ、装飾体２の上方から弾性体４５を中間に介在させて支持フレーム４１をかぶせ、ネジ４０を本体部３にねじ込むことで装飾体２を本体部３に固定する構成のものである。
【００２０】
前記支持フレーム４１は、錐台形状であり、装飾体２を臨ませることが可能な開口部４２を有している。この開口部４２は、上面および下面に開口し、装飾体２の基台部２１の外形に沿うように形成されている。支持フレーム４１を装飾体２の上方からかぶせたとき、支持面３１上に支持された装飾体２の基台部２１が支持フレーム４１内に嵌まるとともに、開口部４２より装飾体２の装飾部２０が突出するようになっている。
また、前記支持フレーム４１の開口部４２は、上面側に内向きに突き出た突出部４３が周設されており、この突出部４３に装飾体２の装飾部２０が引っ掛かるように係合することで、装飾体２が支持面３１上に上方から押さえ付けられる。
【００２１】
さらに、前記支持フレーム４１の四隅には、支持面３１上のネジ孔３２と一致する所定位置に、それぞれネジ孔４４が設けられており、支持フレーム４１を支持面３１上に支持した状態で、前記ネジ４０をネジ孔４４，３２にねじ込むことで支持フレーム４１が本体部３に固定される。
【００２２】
前記弾性体４５は、硬質ゴムなどの弾力性を有する材料により矩形枠型に形成されており、装飾体２と支持フレーム４１との間に位置し、支持フレーム４１の開口部４２の内周縁４６沿いに保持される。この弾性体４５は、ネジ４０の締付力を受けることにより支持面３１に対して垂直方向へ圧縮変形するため、その弾力性による復元力が装飾体２に作用する。これにより、装飾体２が本体部３に押圧されて固定され、装飾体２ががたつくのが阻止される。
【００２３】
図３および図４は、この発明の他の実施例である指輪１の構成を示している。図示例の指輪１は、装飾体２を固定手段４により本体部３に固定し、保持した構成のものである。
【００２４】
前記装飾体２は、複数の装飾体２のうちのひとつであり、そのいずれかの装飾体２が前記本体部３に取り付けられると共に、随時、他のものに付け替えることが可能である。各装飾体２は、石材，金属材など、任意の材料により作製された装飾材２０を取付ベース２１に取り付けることで製作されている。この実施例では、各装飾材２０は、同一材料で形成されており、異なる意匠となるよう、それぞれの色彩を違えてある。なお、これに限らず、材料も色彩も違えて異なる意匠となるよう構成してもよい。
【００２５】
前記取付ベース２１は、金属製の円柱状であり、その上面の中央部は前記装飾材２０を収容して取り付けるための取付部２２をなす。また、取付ベース２１の下面には、本体部３にねじ込まれて装飾体２を本体部３に固定するためのネジ４０が突設されている。
【００２６】
取付ベース２１の下面には、前記ネジ４０の外周に、溝４７が周設されている。この溝４７内には、リング形状の弾性体４５が半ば突出した状態で保持されている。溝４７の深さをｈ、弾性体４５の厚みをｔとすると、ｈ＜ｔの関係が成立するよう各寸法が設定されている。
【００２７】
前記本体部３は、指の太さに相応する指差孔３０を有する環状体により構成されており、本体部３の装飾体２の取付位置には、装飾体２を支持するための平坦な支持面３１が形成されている。
前記支持面３１は、外形が円形状であり、その中央部には前記ネジ４０をねじ込むためのネジ孔３２が形成されている。この支持面３１上のネジ孔３２に前記ネジ４０がねじ込まれると、弾性体４５が圧縮変形して全体が溝４７内におさまるので、装飾体２の取付ベース２１はその下面を支持面３１に面接触させた状態で前記本体部３に保持される。
【００２８】
前記固定手段４は、装飾体２の取付ベース２１の下面に突設されたネジ４０と、装飾体２と本体部３との間に保持される弾性体４５と、前記ネジ４０の外周に周設された溝４７とから成り、前記溝４７に弾性体４５をはめ込んだ状態で、前記ネジ４０を本体部３に形成されたネジ孔３２にねじ込ませて装飾体２を本体部３に固定する。
【００２９】
前記弾性体４５は、硬質ゴムなどの弾力性を有する材料によりリング形状に形成されており、前記溝４７内に半ば突出した状態で保持される。この弾性体４５は、ネジ４０の締付力を受けることにより支持面３１に対して垂直方向へ圧縮変形し、その復元力が取付けベース２１に作用する。
【００３０】
上記した構成の指輪１において、図１の実施例では、複数の装飾体２のうち、いずれかの装飾体２を選択して、本体部３の支持面３１上に安定支持させる。支持面３１上に装飾体２を支持した状態で弾性体４５を中間に介在させて支持フレーム４１を装飾体２の上方からかぶせ、四隅のネジ孔４４，３２にそれぞれネジ４０をねじ込むことで支持フレーム４１を本体部３に固定する。これにより、支持フレーム４１内に装飾体２の基台部２１が嵌まって支持フレーム４１の開口部４２から装飾体２の装飾部２０が突出し、装飾部２０に支持フレーム４１の突出部４３が引っ掛かるように係合して、装飾体２が支持面３１上に押さえ付けられる。
さらに、支持フレーム４１の開口部４２の内周縁４６沿いに保持された弾性体４５が、ネジ４０の締付力を受けることにより支持面３１に対して垂直方向へ圧縮変形し、その弾力性による復元力が装飾体２に作用するので、装飾体２が本体部３に強固に固定され、装飾体２が支持フレーム４１内でがたつくのが阻止される。
【００３１】
装飾体２を付け替えるには、本体部３のネジ孔３２よりネジ４０を外し、支持面３１上から支持フレーム４１および弾性体４５を取り外すことで、支持面３１上に支持された装飾体２を取り出すことが可能となる。
【００３２】
図３の実施例では、装飾体２の取付ベース２１の下面に周設された溝４７内にリング形状の弾性体４５が半ば突出した状態で保持されるため、弾性体４５はネジ４０の締付力を受けて支持面に対して垂直方向へ圧縮変形する。これにより、装飾体２の取付ベース２１にその復元力が作用するため、ネジ４０が緩む方向に対する摩擦力が大きくなるとともに、弾性体４５が滑り止めとなることから、ネジ４０の締め付けが緩むのを抑えることができる。
【００３３】
なお、この発明は、上記した実施例の指輪に限らず、ネックレス、ブレスレット、またはカフのような他の装飾具にも実施することが可能である。
【図面の簡単な説明】
【００３４】
【図１】この発明の一実施例である指輪の構成を示す分解斜視図である。
【図２】図１の指輪の断面図である。
【図３】この発明の他の実施例である指輪の構成を示す分解斜視図である。
【図４】図３の指輪の断面図である。
【符号の説明】
【００３５】
１    指輪
２    装飾体
３    本体部
４    固定手段
２１  取付ベース
３１  支持面
４０  ネジ
４１  支持フレーム
４２  開口部
４５  弾性体
４６  内周縁
４７  溝
【図１】
2007222385.tif 000003
【図２】
2007222385.tif 000004
【図３】
2007222385.tif 000005
【図４】
2007222385.tif 000006